(57)【特許請求の範囲】
【請求項１】
光源の光出力を略連続的に調節する連続調光機能を備える点灯装置を制御する連続調光制御部と、
前記光源を一時的に最大出力点灯させる全出力確認操作部と、
前記光源の光出力を略連続的に増加・減少させる調光操作部と、
を備え、
前記連続調光制御部は、
前記調光操作部が操作されると、前記光源の光出力を、前記調光操作部の操作によって選択された調光レベルとするように前記光源を制御し、
前記光源を、前記調光レベルで点灯させている状態で、前記全出力確認操作部が操作されると、前記光源を、一旦、最大出力点灯状態とし、その後、前記光源の光出力を前記調光レベルに復帰させることを特徴とする照明装置。
【請求項２】
前記連続調光制御部は、前記光源を、一旦、最大出力点灯状態とすると、最大出力点灯状態を任意の期間維持し、その後、前記光源の光出力を前記調光レベルに復帰させることを特徴とする請求項１に記載の照明装置。
【請求項３】
前記全出力確認操作部および前記調光操作部をリモコン送信器に搭載し、
前記リモコン送信器からのリモコン信号を受信するリモコン受信部を設け、
前記リモコン信号に基づいて、前記光源の光出力を制御するようにしたことを特徴とする請求項１または２に記載の照明装置。
【請求項４】
前記調光操作部が、前記全出力確認操作部としても使用され、
前記連続調光制御部は、
前記調光操作部の第１回目の操作の場合には、前記光源の光出力を、前記調光操作部の操作によって選択された調光レベルとするように前記光源を制御し、
前記調光操作部の第２回目およびそれ以降の操作の場合には、前記調光操作部が操作される毎に、前記光源を、一旦、最大出力点灯状態とし、その後、前記光源の光出力を前記調光レベルに復帰させることを特徴とする請求項１〜３のいずれかに記載の照明装置。
【請求項５】
請求項１〜４のいずれかに記載した照明装置を器具本体に設けたこと特徴とする照明器具。
【発明の詳細な説明】
【技術分野】
【０００１】
本発明は、調光操作部により選択された調光レベルを連続調光制御部にて光出力調光制御を可能にする照明装置及び照明器具に関する。
【背景技術】
【０００２】
本発明者らは、調光操作部の操作に応じて点灯回路部の出力を変化させることにより、光源であるランプの光出力を複数段階で調節可能で略連続的に調光可能な照明装置及び照明器具を既に提案している（例えば、特許文献１参照）。
【０００３】
このような照明装置及び照明器具では、リモコン送信器を操作部とし、ランプの光出力を略連続的に調節する連続調光機能を備え、ユーザーのニーズに応じた明るさを実現することができ、ランプの光出力を複数段階で調節する段調光機能を備えていることにより、ランプの光出力を複数段階で簡単に調節することで、省エネルギー化を図ることができる。
【０００４】
また、本発明者らは、操作部によりランプの調光操作が行われた際、どのように調光レベルを選択したか音声メッセージを出力することで複数段階の調光レベルを報知することでユーザーが分かりやすく、利便性の向上を図ることができる照明装置及び照明器具を既に提案している（例えば、特許文献２参照）。
【先行技術文献】
【特許文献】
【０００５】
【特許文献１】特許第１３９７２５６７号公報（図１、請求項１）
【特許文献２】特開２００５−２０３２７５号公報（図１、請求項１）
【発明の概要】
【発明が解決しようとする課題】
【０００６】
快適に暮らすためにユーザーが求める照度にはそれぞれ好みがあり、生活空間において選択される明るさは異なる場合が多い。ランプを調光することで照明器具の消費電力が抑えられることにより省エネルギー効果が得られるが、ユーザーの視覚は定常の光に慣れてしまうため、照明器具の最大消費電力状態である最大照度状態に対し、選択した明るさがどれくらいの省エネルギー効果が得られているのか実感するのが困難である。
【０００７】
本発明は、前述した課題を解決するためになされたものであり、その目的は、省エネルギー効果をユーザーが容易に認知しうることができる照明装置及び照明器具を提供することにある。
【課題を解決するための手段】
【０００８】
本発明に係る照明装置は、光源の光出力を略連続的に調節する連続調光機能を備える点灯装置を制御する連続調光制御部と、前記光源を一時的に最大出力点灯させる全出力確認操作部と、前記光源の光出力を略連続的に増加・減少させる調光操作部と、を備え、前記連続調光制御部は、前記調光操作部が操作されると、前記光源の光出力を、前記調光操作部の操作によって選択された調光レベルとするように前記光源を制御し、前記光源を、前記調光レベルで点灯させている状態で、前記全出力確認操作部が操作されると、前記光源を、一旦、最大出力点灯状態とし、その後、前記光源の光出力を前記調光レベルに復帰させることを特徴とする。
【０００９】
本発明においては、全出力確認操作部が操作されると、光源の最大出力点灯状態を連続調光制御部に伝え、全出力確認操作部の操作にて光源の最大出力点灯状態に一旦変化し、その後、調光操作部で選択されている調光点灯レベルに戻る。
これにより、ユーザーが省エネルギー効果を期待して調光点灯させている場合、全出力確認操作部で操作することで、その照明器具の定格点灯レベル（最大出力）と比べ、どれくらい省エネルギー効果が得られているか視覚で認識することができる。
従って、省エネルギー効果をユーザーが容易に認知しうることができる。
【００１０】
本発明に係る照明装置は、上記照明装置において、前記連続調光制御部は、前記光源を、一旦、最大出力点灯状態とすると、最大出力点灯状態を任意の期間維持し、その後、前記光源の光出力を前記調光レベルに復帰させることを特徴とする。
【００１１】
本発明においては、全出力確認操作部の操作にて光源の最大出力点灯状態で任意の期間維持し、その後、調光操作部で選択されている調光点灯レベルに戻る。
これにより、光源の最大出力点灯状態で任意の期間維持されることにより、ユーザーの認識を、より向上させることができる。
【００１２】
本発明に係る照明装置は、上記照明装置において、前記全出力確認操作部および前記調光操作部をリモコン送信器に搭載し、前記リモコン送信器からのリモコン信号を受信するリモコン受信部を設け、前記リモコン信号に基づいて、前記光源の光出力を制御するようにしたことを特徴とする。
【００１３】
本発明においては、調光操作部に無線のリモコン送信器を使った。
これにより、ユーザーの省エネ確認操作を、より容易にすることができる。
【００１４】
本発明に係る照明装置は、上記照明装置において、前記調光操作部が、前記全出力確認操作部としても使用され、前記連続調光制御部は、前記調光操作部の第１回目の操作の場合には、前記光源の光出力を、前記調光操作部の操作によって選択された調光レベルとするように前記光源を制御し、前記調光操作部の第２回目およびそれ以降の操作の場合には、前記調光操作部が操作される毎に、前記光源を、一旦、最大出力点灯状態とし、その後、前記光源の光出力を前記調光レベルに復帰させることを特徴とする。
【００１５】
本発明においては、調光操作部の操作回数など違いが認識できる操作をすることで、全灯状態に変化する。
これにより、全出力確認操作部を省略することができる。
【００１６】
本発明に係る照明器具は、上記照明装置を器具本体に設けたこと特徴とする。
【００１７】
本発明においては、照明器具をユーザーが省エネルギー効果を期待して調光点灯させている場合、全出力確認操作部で操作することで、その照明器具の定格点灯レベル（最大出力）と比べ、どれくらい省エネルギー効果が得られているか視覚で認識することができる。
従って、省エネルギー効果をユーザーが容易に認知しうることができる。
【発明の効果】
【００１８】
本発明の照明装置及び照明器具によれば、全出力確認操作部が操作されると、光源の最大出力点灯状態を連続調光制御部に伝え、全出力確認操作部の操作にて光源の最大出力点灯状態に一旦変化し、その後、調光操作部で選択されている調光点灯レベルに戻る。
これにより、省エネルギー効果をユーザーが容易に認知しうることができるという効果を有する。
【図面の簡単な説明】
【００１９】
【図１】本発明に係る第１実施形態の照明装置を装備する照明器具のブロック構成図
【図２】図１に示した照明装置の制御動作を説明するタイムチャート
【図３】本発明に係る第２実施形態の照明装置の制御動作を説明するタイムチャート
【図４】本発明に係る第３実施形態の照明装置を装備する照明器具の分解斜視図
【図５】図４に示した照明装置の制御動作を説明するタイムチャート
【図６】本発明に係る第４実施形態の照明装置を装備する照明器具のブロック構成図
【発明を実施するための形態】
【００２０】
以下、本発明の複数の実施形態に係る照明装置及び照明器具について図面を参照して説明する。
【００２１】
（第１実施形態）
本発明の第１実施形態である照明器具１は、照明装置１０と、ＬＥＤ光源（光源）１２を保持している器具本体（図４参照）１１と、を備え、照明装置１０は、ＬＥＤ点灯装置（点灯装置）１３と、連続調光制御部１５、マイコン１６からなる点灯制御回路１４と、を備える。
【００２２】
図１に示すように、ＬＥＤ点灯装置１３は商用電源に接続されており、商用電源の交流電流を不図示のインバータ回路等により直流電流に変換してＬＥＤ光源１２に与える。
【００２３】
ＬＥＤ点灯装置１３への連続調光制御部１５にはトライアック１７を用いており、電源位相角のＯＮデューティによってＬＥＤ光源１２を調光する。トライアック１７はマイコン１６からの信号で制御され、連続調光制御部１５の信号（ここでは可変抵抗器Ｒ１）と全灯確認操作の信号（ここではタクトスイッチＳＷ−１）をマイコン１６に入力する。
【００２４】
連続調光制御部１５は、ＬＥＤ光源１２の光出力を略連続的に調節する連続調光機能を備えるＬＥＤ点灯装置１３を制御する。
【００２５】
マイコン１６は、全出力確認操作部１８と調光操作部１９とを内蔵している。
【００２６】
全出力確認操作部１８は、ＬＥＤ光源１２を最大出力点灯させるために操作される。
【００２７】
調光操作部１９は、ＬＥＤ光源１２の光出力を略連続的に増加・減少させるために選択操作される。
【００２８】
点灯制御回路１４では、調光操作部１９で操作されることにより、それに応じたＬＥＤ光源１２の光出力の増加・減少を連続調光制御部１５に伝える。
【００２９】
これとは異なり、点灯制御回路１４は、全出力確認操作部１８で操作されると、ＬＥＤ光源１２の最大出力点灯状態を連続調光制御部１５に伝え、全出力確認操作部１８の操作にてＬＥＤ光源１２の最大出力点灯状態に一旦変化し、その後、調光操作部１９で選択されている調光点灯レベルに戻る制御を行う。
【００３０】
図２に示すように、全灯確認操作と調光レベルとの関係は、時刻ｔ１において全灯確認操作が行われると、時刻ｔ２においてＬＥＤ光源１２を一旦最大出力に変化させ、その後の時刻ｔ３において、ユーザーの選択した調光レベルに戻す。
これにより、ユーザーはどれくらいの省エネ効果が得られているかを視覚で確認することができる。
【００３１】
以上説明したように、本発明の第１実施形態の照明装置１０及び照明器具１では、全出力確認操作部１８が操作されると、ＬＥＤ光源１２の最大出力点灯状態を連続調光制御部１５に伝え、全出力確認操作部１８の操作にてＬＥＤ光源１２の最大出力点灯状態に一旦変化し、その後、調光操作部１９で選択されている調光点灯レベルに戻る。
これにより、ユーザーが省エネルギー効果を期待して調光点灯させている場合、全出力確認操作部１８で操作することで、その照明器具１の定格点灯レベル（最大出力）と比べ、どれくらい省エネルギー効果が得られているか視覚で認識することができる。
従って、省エネルギー効果をユーザーが容易に認知しうることができる。
【００３２】
（第２実施形態）
次に、本発明の第２実施形態の照明装置及び照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００３３】
図３に示すように、本発明の第２実施形態の照明装置３０は、全出力確認操作部１８の操作にてＬＥＤ光源１２の最大出力点灯状態で任意の期間維持し、その後、調光操作部１９で選択されている調光点灯レベルに戻る制御を行う。
【００３４】
全灯確認操作と調光レベルとの関係は、時刻ｔ１において全灯確認操作が行われると、時刻ｔ２から事項ｔ３までの間、全出力確認操作部１８の操作にてＬＥＤ光源１２の最大出力点灯状態で維持し、その後の時刻ｔ４において、ユーザーの選択した調光レベルに戻す。
【００３５】
本発明の第２実施形態の照明装置３０及び照明器具１では、全出力確認操作部１８の操作にてＬＥＤ光源１２の最大出力点灯状態で任意の期間維持し、その後、調光操作部１９で選択されている調光点灯レベルに戻る。
これにより、ＬＥＤ光源１２の最大出力点灯状態で任意の期間維持されることにより、ユーザーの認識を、より向上させることができる。
【００３６】
（第３実施形態）
次に、本発明の第３実施形態の照明装置及び照明器具について説明する。
【００３７】
図４に示すように、本発明の第３実施形態の照明装置４０を装備した照明器具２は、円板状の器具本体１１と、器具本体１１に保持される蛍光ランプ（光源）１２と、点灯装置１３と、器具本体１１に取り付けられるドーム状のグローブ３と、リモコン送信器４１とを備え、照明装置４０に、リモコン送信器４１から送信される例えば赤外線信号等からなる無線信号のリモコン信号を受信する受信部４２を備えている。
【００３８】
照明装置４０は、点灯装置１３に調光点灯レベルを記憶する調光記憶部４３を内蔵している。
【００３９】
リモコン送信器４１は、連続調光機能を操作する調光操作部４４を有し、全出力確認操作部１８として無線信号よりなるリモコン信号を送信する。調光操作部４４には、蛍光ランプ１２の光出力を連続的に増加させるために操作されるアップスイッチ４５と、蛍光ランプ１２の光出力を連続的に減少させるために操作されるダウンスイッチ４６と、全出力確認操作部１８に蛍光ランプ１２を最大出力点灯させるために選択操作される全灯スイッチ４７と、を備える。
【００４０】
リモコン送信器４１は、全灯スイッチ４７が押操作されると蛍光ランプ１２の最大出力点灯を指示するリモコン信号を送信し、アップスイッチ４５が押操作されると蛍光ランプ１２の光出力の増加を指示するリモコン信号を送信し、ダウンスイッチ４６が押操作されると蛍光ランプ１２の光出力の減少を指示するリモコン信号を送信する。
【００４１】
点灯装置１３は、リモコン送信器４１から送信される各リモコン信号に基づいて蛍光ランプ１２の光出力を制御し、全出力確認操作部１８の操作にて蛍光ランプ１２の最大出力点灯状態に変化し、その後、調光記憶部４３に記憶した調光点灯レベルに戻る制御を行う。
【００４２】
本発明の第３実施形態の照明装置４０及び照明器具２では、調光操作部４４に無線のリモコン送信器４１を使った。
これにより、ユーザーの省エネ確認操作を、より容易にすることができる。
【００４３】
（第４実施形態）
次に、本発明の第４実施形態の照明装置及び照明器具について説明する。
【００４４】
図５に示すように、本発明の第４実施形態の照明装置５０は、光源１２を任意設定の光出力で調光点灯させるために選択操作される調光スイッチ５１を設けている。
【００４５】
照明装置５０は、時刻ｔ１において調光スイッチ５１が選択操作されると光源１２の任意設定の光出力での調光点灯を指示するリモコン信号を送信し、時刻ｔ１の以後の時刻ｔ２および時刻ｔ３の複数回の調光スイッチ５１の操作にて光源１２の最大出力点灯状態に変化し、その後、調光記憶部４３に記憶した調光点灯レベルに戻る制御を行う。
【００４６】
本発明の第４実施形態の照明装置５０及び照明器具１では、任意の出力から、調光操作にてユーザーが要求する調光状態になるが、操作２回目をすることで、全灯状態に変化する。
これにより、全出力確認操作部１８を省略することができる。
【００４７】
（第５実施形態）
次に、本発明の第５実施形態の照明装置及び照明器具について説明する。
【００４８】
図６に示すように、本発明の第５実施形態の照明器具３に装備される照明装置６０は、商用電源Vsを整流するダイオードブリッジよりなる整流器６１と、整流器６１の出力端間に接続されたＤＣ−ＤＣコンバータ６２と、ＤＣ−ＤＣコンバータ６２の出力を高周波電力に変換して蛍光ランプ１２へ供給するインバータ６３とを備えている。
【００４９】
ＤＣ−ＤＣコンバータ６２は昇圧チョッパ回路であって、インダクタＬ１と半導体スイッチ素子（例えば、ＭＯＳＦＥＴ）よりなるスイッチング素子Ｑ１とダイオードＤ１と平滑コンデンサＣ１とを備えている。
【００５０】
インバータ６３は、半導体スイッチ素子（例えば、ＭＯＳＦＥＴ）よりなる２つのスイッチング素子Ｑ２，Ｑ３の直列回路をＤＣ−ＤＣコンバータ６２の出力端間に接続するとともに、スイッチング素子Ｑ２の両端間にインダクタＬ２とコンデンサＣ２との直列回路からなるＬＣ共振回路を接続し、コンデンサＣ２に蛍光ランプ１２が並列接続されている。
【００５１】
照明装置６０の点灯制御回路１４は、全出力確認操作が行われると、蛍光ランプ１２の最大出力点灯状態を処理し、全出力確認の操作にて蛍光ランプ１２の最大出力点灯状態に一旦変化し、その後、調光操作により選択されている調光点灯レベルに戻る制御を行う。
【００５２】
本発明の第５実施形態の照明装置６０及び照明器具３は、第１実施形態と同様の作用効果を奏する。特に、本実施形態によれば、点灯制御回路１４が従来と同様の回路構成であるためにコスト面で有利に製造することができる。
【００５３】
また、前記各実施形態で使用した器具本体１１、光源１２、グローブ３等は例示したものに限定するものではなく適宜変更が可能である。
【符号の説明】
【００５４】
１、２  照明器具
１０、３０、４０、５０、６０  照明装置
１１  器具本体
１２  ＬＥＤ光源、蛍光ランプ（光源）
１３  ＬＥＤ点灯装置（点灯装置、点灯装置部）
１５  連続調光制御部
１８  全出力確認操作部
１９  調光操作部
４１  リモコン送信器
４３  調光記憶部
４５  アップスイッチ
４６  ダウンスイッチ
４７  全灯スイッチ
５１  調光スイッチ
【図１】
0005419557.tif 000002
【図２】
0005419557.tif 000003
【図３】
0005419557.tif 000004
【図４】
0005419557.tif 000005
【図５】
0005419557.tif 000006
【図６】
0005419557.tif 000007